(57)【特許請求の範囲】
【請求項１】
背もたれの上部に上方に向けて突設する左右の支持杆をヘッドレスト内に相対的に摺動可能に挿入するとともに前記左右の支持杆を前記左右の支持杆と別体として前記左右の支持杆よりも細く形成されたロッドにより結合し、前記ヘッドレスト内には前記ロッドが嵌合し得る凹部が列設された係止杆を縦設し、前記ロッドが前記係止杆の凹部に係合した状態を弾性的に保持する保持部材を有し、
前記ヘッドレストの裏外面を形成する裏板を備え、
前記係止杆の前記凹部は前記裏板側に向いて設けられ、前記ロッドと前記裏板との間には前記ロッドが前記凹部の間を移行するのに障害にならない程に隙間が形成されて前記ロッドが前記裏板に近接して配置されており、
前記保持部材は板バネであって、前記板バネは前記係止杆の前記裏板と反対側面を前記裏板側に向かって付勢する
ことを特徴とするヘッドレスト上下動機構。
【発明の詳細な説明】
【０００１】
【発明の属する技術分野】
本発明は椅子のヘッドレストに係り、特に事務用回転椅子のヘッドレストの高さを微調整するためのヘッドレスト上下動機構に関する。
【０００２】
【従来の技術】
オフィス用の椅子をはじめ、各種用途の椅子において、背もたれの上部にヘッドレストを備える椅子がある。このヘッドレストは、椅子に座る人の座高等に適合するよう高さ位置を任意に調整することができるようになっている。
【０００３】
従来のヘッドレストの高さ調整は、一般にヘッドレストの支持杆にラック乃至はそれに類する凹凸を列設し、背もたれ側に前記凹凸の一つに係合する係止爪を設け、ヘッドレストの高さ調節時には前記係止爪の係合を手動で解除させたのちヘッドレストの支持杆を上下動させることにより高さを選定し、高さ選定後再び係止爪を支持杆の凹凸の一つに係合させてその位置でヘッドレストを固定するようになされている。
【０００４】
【発明が解決しようとする課題】
しかるに上記従来の技術では、ヘッドレストの高さ調整時に係止爪の係合を解除したのちでないとヘッドレストを上下動させることができず、そのため高さ調整が煩わしいとともに係止爪の操作用レバー等が椅子の背もたれの外部に表われるので椅子のデザインを損なうばかりでなく椅子の背もたれ側の構造が複雑となり、特にヘッドレストを有しない通常の椅子との共通仕様に対応し得ないなどの問題点があった。
【０００５】
本発明は、椅子の背もたれの外部には何ら調整機構を設けることなくヘッドレストを直接手でもって上下させることにより最適高さ位置を選択することができ、かつ椅子の背もたれ部にヘッドレストの昇降のための操作部材を設ける必要がなくするようにし、かつヘッドレストを有しない椅子との共通仕様を可能とするヘッドレスト上下動機構を提供することを課題としてなされたものである。
【０００６】
【課題を解決するための手段】
上記課題を解決する手段として本発明は、背もたれの上部に上方に向けて突設する左右の支持杆をヘッドレスト内に相対的に摺動可能に挿入するとともに前記左右の支持杆を前記左右の支持杆と別体として前記左右の支持杆よりも細く形成されたロッドにより結合し、前記ヘッドレスト内には前記ロッドが嵌合し得る凹部が列設された係止杆を縦設し、前記ロッドが前記係止杆の凹部に係合した状態を弾性的に保持する保持部材を有し、前記ヘッドレストの裏外面を形成する裏板を備え、前記係止杆の前記凹部は前記裏板側に向いて設けられ、前記ロッドと前記裏板との間には前記ロッドが前記凹部の間を移行するのに障害にならない程に隙間が形成されて前記ロッドが前記裏板に近接して配置されており、前記保持部材は板バネであって、前記板バネは前記係止杆の前記裏板と反対側面を前記裏板側に向かって付勢することを特徴とする。
【０００７】
こうしたことにより、ヘッドレストを持って上下方向へスライドさせれば、ヘッドレスト内の係止杆の凹部が支持杆のロッドを飛び越えながら昇降し、最適高さ位置で停止させればその位置にある凹部にロッドが嵌合してヘッドレストは妄りに上下に移動することなく安定しておかれる。
【０００８】
【発明の実施の形態】
以下、本発明を図面に示す実施の形態を参照して説明する。
【０００９】
図１は本発明を適用した事務用回転椅子１の一例を示し、図２は本発明におけるヘッドレスト２の背面を、図３は図１のＡ−Ａ線、図４は同Ｂ−Ｂ線における各断面をそれぞれ示している。
【００１０】
図２にみられるようにヘッドレスト２の左右端近くの下部から左右の支持杆３，３の上方部がヘッドレスト２内の軸受４，４にそって上下動自在に内挿され、これら支持杆３，３の下方部はヘッドレスト２の下端から突出されていて椅子１の背もたれ５の上端から挿入されて背もたれ５内の基板５ａに固定されている。
【００１１】
前記支持杆３，３の上端は互いに向き合う方向に釣形に屈曲され、その屈曲部３ａ，３ａ間は丸棒状のロッド６で結合されて左右の支持杆３，３が一体化されている。なお上記支持杆３，３を予め門形に形成し、その上端間を継ぐ横杆をロッド６とするようにしてもよい。
【００１２】
前記ロッド６と対応する位置のヘッドレスト２内には、該ロッド６が嵌合し得る半円形状の凹部７，７……が列設された係止杆８が縦設され、この係止杆８の凹部７，７……と対向する側には前記ロッド６が凹部７，７……間を移行する際に障害とならない間隔をおいて裏板９が設けられている。
【００１３】
前記係止杆８の前記凹部７，７…とは反対側には係止杆８をロッド６側に付勢する板バネ状の保持部材１０が設けられ、係止杆８が常にロッド６に圧接する状態を保つようになっている。
【００１４】
したがってヘッドレスト２の高さを調節するには、ヘッドレスト２を直接手で持って上方または下方へ移動させれば、ヘッドレスト２と一体の支持杆３，３のロッド６が係止杆８の凹部７，７……を飛びながら移動し、ヘッドレスト２を最適な高さ位置に留めればその位置の凹部７にロッド６が嵌合して位置が定められる。
【００１５】
前記係止杆８は保持部材９によりロッド６側に押圧されているので、使用中ヘッドレスト２が妄りに下降してしまうことがない。
【００１６】
【発明の効果】
以上説明したように本発明によれば、事務用回転椅子のヘッドレストの高さ調整をヘッドレスト自体を持って上げ下げするだけで最適高さ位置に固定状態におくことができるので、従来のように高さ調整の都度ロックを解除し、調整後再びロックさせるような煩わしさがなく、簡便に高さ調整を行なうことができるとともに、椅子の背もたれやヘッドレストにロック操作用レバー類が全く存在しないので椅子のデザインの自由度を著しく増すことができ、すっきりした外観のヘッドレスト付きの事務用回転椅子とすることができる。またヘッドレストを有しない通常の事務用回転椅子を共通仕様として製造することができるので、ヘッドレスト付きの事務用回転椅子を著しく安価に提供することができる。
【図面の簡単な説明】
【図１】本発明を適用する事務用回転椅子の一例を示す側面図。
【図２】本発明におけるヘッドレストの一実施形態を示す背面図。
【図３】図２のＡ−Ａ線断面図。
【図４】同、Ｂ−Ｂ線断面図。
【符号の説明】
１  椅子
２  ヘッドレスト
３  支持杆
５  背もたれ
６  ロッド
７  凹部
８  係止杆
１０  保持部材
【図１】
0004278793.tif 000002
【図２】
0004278793.tif 000003
【図３】
0004278793.tif 000004
【図４】
0004278793.tif 000005